(57)【特許請求の範囲】
【請求項１】
筒状の先軸の後方に該先軸に対して相対回転自在に設けられた筒状の後軸と、後軸に回転一体のネジ体内部と螺合するネジ棒が備えられ、先軸に挿入されて棒状部材を支持するための保持部材を有してなり、後軸に対して先軸を回転させることによってネジ棒の移動に伴い、ネジ棒の先端と当接される保持部材を介して横断面が楕円形状の棒状部材が先軸に対して軸方向に移動させる回転繰出容器であって、
前記ネジ棒の先端部は前記棒状部材と略同形状の楕円形状に形成され、後端部側の外周には略正円形状のネジと、該先端部の楕円形状の長辺側と同側に平面部が形成されると共に、前記ネジ棒のネジの後端のネジ山の高さを低くし、ネジ棒の後端面内部には肉盗みの穴を設けたことを特徴とする回転繰出容器。
【発明の詳細な説明】
【技術分野】
【０００１】
本発明は、棒状化粧料、棒状筆記体、棒状塗布体等の棒状部材を容器から繰り出して使用する棒状化粧料容器、筆記具、塗布具等に利用する回転繰出容器に関する。
【背景技術】
【０００２】
従来、下記の特許文献１〜特許文献３に代表される回転繰出機構を有する容器が開示されている。
【０００３】
特許文献１には、ノック式で楕円芯に形成された固形棒状の化粧料を繰り出す容器が開示されている。
【０００４】
また、特許文献２には、楕円芯の棒状物繰出具が開示されており、ネジ棒に該当するスライダは横断面円形となっている。
【０００５】
また、特許文献３には、棒状物繰出具であって、ネジ棒のネジ部における横断面が非円形に形成されたものが開示されている（特許文献３の図２９、図３２参照）。
【先行技術文献】
【特許文献】
【０００６】
【特許文献１】特開２０１５−３３４６０号公報
【特許文献２】特開２０００−８５８６１号公報
【特許文献３】特開２００３−３１０３４８号公報
【発明の概要】
【発明が解決しようとする課題】
【０００７】
しかしながら、前記特許文献１はノック式ではあるが、回転繰出機構が要請されている。また、前記特許文献２は先軸への直接充填構造ではない。また、特許文献３はシール性容器ではない。前記特許文献１〜３の繰出容器は、部品点数画多く、組み立てが複雑であり、構造を簡単化して組み立てを簡略化した繰出容器が要請されるが未提案であった。
【０００８】
本発明は、斯かる実情に鑑み、繰出物を充填構造で収容できシール性の高い構造が簡単で組み立てが容易な回転繰出容器を提供しようとするものである。
【課題を解決するための手段】
【０００９】
本発明は、筒状の先軸の後方に該先軸に対して相対回転自在に設けられた筒状の後軸と、先軸と後軸内に挿入されて棒状部材を支持するための保持部材を有してなり、後軸に対して先軸を回転させることによって非正円形状の棒状部材を先軸に対して軸方向に移動させる回転繰出容器であって、
後軸内部と螺合するネジ棒が備えられ、前記ネジ棒の先端部は棒状部材と略同形状に形成され、後端部側は非正円形状にネジが形成されたことを特徴とする回転繰出容器である。
【００１０】
本発明において、ネジ棒のネジは略正円形状のネジに平面部が形成されていることが好適である。
【００１１】
本発明において、ネジ棒のネジの後端のネジ山の高さを低くし、後端面内部には肉盗みの穴を設けたことが好適である。
【００１２】
本発明において、先軸の内部空間であって棒状部材を装填する芯装填部において、先端開口部は後端開口部より広い断面積で形成されたことが好適である。
【００１３】
本発明において、先軸の内部空間であって棒状部材を装填する芯装填部において、ネジ棒及び保持部材を後退させた状態で材料を当該芯装填部内に充填して棒状部材を形成したことが好適である。
【発明の効果】
【００１４】
本発明の回転繰出容器によれば、先軸、後軸、保持部材、棒状部材、ネジ棒等で少ない構成で回転繰出容器を構成できる。また、後軸内部と螺合するネジ棒が備えられ、前記ネジ棒の先端部は棒状部材と略同形状に形成され、後端部側は非正円形状にネジが形成されており、先軸内に保持部材まで材料を充填すれば棒状部材ができ、先軸に対して後軸を回転させることにより棒状部材を簡単な構造で繰り出すことができるという優れた効果を奏し得る。
【図面の簡単な説明】
【００１５】
【図１】本発明の実施形態に係る回転繰出容器のキャップを装着した状態の説明図であり、（ａ）は先方からの視図、（ｂ）は外観図、（ｃ）は（ｂ）の縦断面図、（ｄ）は（ｃ）から９０°回転させた状態の縦断面図である。
【図２】図１に示す回転繰出容器のキャップを外した状態の説明図であり、（ａ）は先方からの視図、（ｂ）は外観図、（ｃ）は（ｂ）の縦断面図、（ｄ）は（ｃ）から９０°回転させた状態の縦断面図である。
【図３】図１に示す回転繰出容器部品のキャップの説明図であり、（ａ）は先方からの視図（左側面図）、（ｂ）は斜視図、（ｃ）は正面図、（ｄ）は（ｃ）の縦断面図、（ｅ）は後方からの視図（右側面図）である。
【図４】図１に示す回転繰出容器部品の先軸の説明図であり、（ａ）は先方からの斜視図、（ｂ）は先方からの視図、（ｃ）は後方からの斜視図、（ｄ）は平面図、（ｅ）は正面図、（ｆ）は（ｅ）の縦断面図、（ｇ）は後方からの視図である。
【図５】図１に示す回転繰出容器部品の後軸の説明図であり、（ａ）は先方からの視図、（ｂ）は正面図、（ｃ）は（ｂ）の縦断面図、（ｄ）は（ｃ）のＡ−Ａ線断面図、（ｅ）は（ｃ）のＢ部拡大図である。
【図６】図１に示す回転繰出容器部品のネジ棒の説明図であり、（ａ）は先方からの斜視図、（ｂ）は先方からの視図、（ｃ）は後方からの斜視図、（ｄ）は平面図、（ｅ）は（ｄ）の縦断面図、（ｆ）は正面図、（ｇ）は（ｆ）の縦断面図、（ｈ）は後方からの視図である。
【図７】図１に示す回転繰出容器部品のネジ体の説明図であり、（ａ）は先方からの斜視図、（ｂ）は先方からの視図、（ｃ）は平面図、（ｄ）は正面図、（ｅ）は（ｄ）の縦断面図、（ｆ）は後方から斜視図、（ｇ）は後方からの視図である。
【図８】図１に示す回転繰出容器部品の保持部材の説明図であり、（ａ）は先方からの斜視図、（ｂ）は先方からの視図、（ｃ）は後方からの斜視図、（ｄ）は正面図、（ｅ）は（ｄ）の縦断面図、（ｆ）は後方からの視図である。
【図９】図１に示す回転繰出容器の使用終了状態の説明図であり、（ａ）は先方からの視図、（ｂ）は外観図、（ｃ）は（ｂ）の縦断面図、（ｄ）は（ｃ）から９０°回転させた状態の縦断面図である。
【発明を実施するための形態】
【００１６】
以下、本発明の実施形態について添付図面を参照して説明する。
【００１７】
図１は実施形態に係る回転繰出容器のキャップをした状態の説明図、図２は当該回転繰出容器のキャップのない使用状態の説明図である。図３〜図８は各部品の説明図である。図９は使用後の回転繰出容器の説明図である。
【００１８】
実施形態に係る回転繰出容器は、図１、図２に示すように、筒状の先軸１０の後方に該先軸１０に対して相対回転自在に設けられた筒状の後軸１２と、先軸１０と後軸１２内に挿入されて棒状部材１４を支持するための保持部材１６を有してなり、後軸に対して先軸を回転させることによって非正円形状の棒状部材１４を先軸に対して軸方向に移動させる回転繰出容器であって、後軸１２（後軸１２に回転一体のネジ体２０）内部と螺合するネジ棒１８が備えられ、前記ネジ棒１８の先端部は棒状部材（芯）１４と略同形状に形成され、後端部側は非正円形状にネジ部１８ｂ（図６）が形成された回転繰出容器である。符号２２はキャップである。
【００１９】
実施形態に係る回転繰出容器は、構成部品が、キャップ２２、先軸１０、棒状部材１４の芯（楕円）、保持部材（ピストン）１６、ネジ棒１８、ネジ体２０、後軸１２の７部品となっている。各部を説明する。
【００２０】
〔キャップ２２〕
キャップ２２は、図３に示すように、先方が閉じ後方の開口した円筒状体である。不使用時には、図１に示すように、先軸１０を覆って筒状のキャップ２２を嵌めた状態にできる。また、使用時には、図２に示すように、キャップを外して先軸１０を露出しその先端から棒状部材１４を繰り出して露出できる。前記キャップ２２の後端部内周には、先軸１０（突起１０ｂ）との嵌合用の凸部２２ａが形成されている。
【００２１】
〔先軸１０〕
先軸１０は、図４に示すように、棒状部材１４の装填通路（芯装填部に相当）１０ａが、横断面楕円形状に形成され、かつ装填通路１０ａが先方向きに開口した先端部から中央部に渡って貫通して形成されている。
【００２２】
先軸１０の芯装填部の装填通路１０ａにおいて、先端開口部は後端開口部より広い断面積で形成されたことが好ましい。
【００２３】
また、前記先軸１０の中央部から後端部は、前記装填通路１０ａに繋がって後方に開口する通路になっている。その後端部の周壁部には、先軸１０に対する後軸１２が回転する際に図５に示す後軸１２内の縦リブ１２ａに断続的に係合して（又は噛み合う）クリック等するラチェット部２４が形成される。前記ラチェット部２４は、先軸１０の後部に複数のスリット２４ｃ、２４ｃを形成し、スリット２４ｃ、２４ｃ間に片持ちで撓むアーム（弾発部）２４ａを設け、前記弾発部のアーム２４ａは回転動作により後軸内部に複数形成された縦リブ（凹凸部）１２ａを乗り越えるものになっている。ラチェット部２４は前記周壁部の穿孔された箇所（複数のスリット２４ｃ、２４ｃ）に片持ち梁状のアーム２４ａが形成され、そのアーム２４ａの先端にくさび状又は三角柱状の突部２４ｂが形成されているものである。また、前記アーム２４ａは、前記後軸１２内部に複数形成された凹凸部のうちの一つの凹凸部を乗り越えることで、前記棒状部材１４が０．０１〜０．２ｍｍ移動することが化粧料などの棒状部材１４を少しずつ繰り出すことができるので好ましい。
【００２４】
前記先軸１０の前記装填通路１０ａは、図４（ｂ）に示すように、正面視で楕円形状に先端部から中央部まで同形状で連続形成され。そして、図４（ａ）に示すように、前記先軸１０の外周面は緩やかなテーパ形状を呈して先端部から中央部にかけて徐々に太い径になる。当該中央部の外周面にはキャップ２２との嵌合用の突起１０ｂが３カ所１２０°刻みで形成されている。
【００２５】
前記先軸１０の中央部から外周部は円筒部になっていて前方が段状に縮径した気密部１０ｃであり、気密部１０ｃは、キャップ２２のシール部２２ｂが外嵌めする気密構造になる。また、前記ラチェット部２４の前方外面には、射出成型用の樹脂を流し込むゲート１０ｄが位置する。
【００２６】
〔後軸１２〕
後軸１２は、図５に示すよう、後端の閉じた円筒状であり、前端部の内周に前記縦リブ１２ａが形成され、縦リブ１２ａの後方部には、ネジ体２０が回転不能に嵌め込まれ、前方部に前記ラチェット部２４が当接する。
【００２７】
また、前記後軸１２の該縦リブ１２ａより前に先軸１０外周と回転可能に抜け止めする嵌合部１２ｂが形成される。
【００２８】
〔ネジ棒１８〕
図６に示すように、ネジ棒１８の前部は、横断面形状が楕円で平坦外周面の押し部１８ａになっている。前端面には、凹部が形成されている。ネジ棒１８の後部は、外周面に雄ネジの形成されたネジ部１８ｂであり、ネジ部１８ｂは、略正円形状のネジに側面に平面部１８ｂ１が形成されている。
【００２９】
また、ネジ棒１８のネジ部１８ｂの後端（後端部１８ｃ）のネジ山の高さを低くし、後端面内部には肉盗みの穴１８ｃ１を設けたものである。
【００３０】
〔ネジ体２０〕
ネジ体２０は、図７に示すように、概略筒状であり、前端部外周には、回り止め用リブ２０ａが複数形成され、後端部内周には、雌ネジ２０ｂが形成されている。
【００３１】
〔保持部材１６〕
保持部材（ピストン）１６は、ネジ棒１８の先端部に棒状部材（芯）１４を装着するものである。当該保持部材１６は、図８に示すように、横断面楕円の後端塞がりの管状であり、概略カップ状を呈したものである。先方から棒状部材（芯）１４が内部に充填可能な空隙を設けてある。内部には棒状部材１４が抜けないように突起１６ａが形成されている。そして、保持部材１６の後端面１６ｂは、ネジ棒１８の先端が単に当接するように平面の当接面になっており、当該ネジ棒１８によって押圧されると保持部材１６が先方に前進するが、ネジ棒１８が仮に後退しても保持部材１６は後退しない構造になっている。また、保持部材１６の開口端部の周縁には、先軸１０の内周面に密着して摺動する外周シール部１６ｃがフランジ状に形成されており、これによって、気密性が維持され且つ棒状部材１４がガタツキなく安定的に繰り出るようにしている。
また、保持部材１６は、上記の外周シール部１６ｃの外径が先軸１０（装填通路１０ａ）内面寸法（ｄ）（図４（ｆ）参照）よりも僅かに大きい（ｄ１）寸法（図８（ｅ）参照）で配設される。棒状部材として固形化粧料を充填する際に、外周シール部１６ｃが先軸１０内面に密着して、固形化粧料を充填する際に漏れることがなく、繰り出し時に確実に固形化粧料を繰り出すことができる。なお、シール締め代（ｄ１−ｄ）は０．０５〜０．２５ｍｍが好適であり、０．０５ｍｍ未満では安定したシール性が確保できず、また０．２５ｍｍ超過では繰り出す際の回転力（トルク）が大きくなってしまい、快適な操作性を得ることができない。
【００３２】
実施形態に係る回転繰出容器の作動や機能を説明する。
【００３３】
この回転繰出容器においては、使用時にはキャップ２２を外した図２に示すように、前記先軸１０に対して後軸１２を回転操作することにより楕円形状の棒状部材（芯）１４を定量的に繰り出すものとなっている。
【００３４】
回転操作で円周方向に回すとクリック感があり、１クリックで０．０１〜０．２（好ましくは０．０５前後）ｍｍと微少長さで装填芯の棒状部材１４が繰出される。
【００３５】
回転操作で一回転すると棒状部材１４が０．５〜１．５ｍｍ繰出される。
【００３６】
先軸１０口元より保持部材１６のピストンまでの間に棒状部材１４（装填芯）が内挿され先軸内面に密着している。その装填芯は、揮発成分を含有したものである。この場合、棒状部材１４の芯の配合は揮発性シリコーン（シクロペンタシＤＦサン、メチルトリメチコン、ジメチコン他）、揮発性炭化水素（イソドデカン、軽質イソパラフィン他）等とこれらの溶剤に溶解するフィルム形成樹脂を含むものとする。
【００３７】
棒状部材１４としての装填芯は、化粧品のアイブロウ、アイライナー、リップライナーなどの固形化粧料や色鉛筆、鉛筆などの筆記具或いは口角、唇などの保湿を目的とした医薬部外品など用途を選ばず対応可能なものであり、本実施形態の各回転繰出容器に収容される。また、芯の形状は、上記の実施形態の如く楕円形状とすることに限定されず、長方形状、多角形形状等の非正円形状にすることもできる。
【００３８】
（１）先軸１０に対して後軸１２を回転させた際にラチェット部２４が奏するクリック感は、次によるものである。
つまり、図２に示すように、回転繰出容器では、前記先軸１０の後軸１２組み付け側（後端部）にアーム２４ａが円周方向に片持ちで撓むように設けられると共に、後軸１２内周に複数（例えば１８本）の縦リブ１２ａが均等に配設されることによりクリック感を奏する。その場合に、アーム２４ａの先端の突部２４ｂが、縦リブ１２ａの頂部と谷部の凸凹（凸凹間の段差０．２ｍｍ）を乗り越えることでクリック感を出している。先軸１０に対しての後軸１２回転方向は、順回転のみで逆回転方向には規制されている。従って一度繰出された棒状部材１４の装填芯は戻すことはできない。
【００３９】
（２）ネジ棒１８のネジ部１８ｂに雄ネジを設け、ネジ体２０の内周に雌ネジ２０ｂを設けている。実施形態では、雌ネジ２０ｂのネジ長を２〜８ｍｍと短くし、雄ネジ側に３０〜４０ｍｍのネジ長部（雌ネジのネジ長の８〜１０倍が好ましい）を設けた。
【００４０】
（３）ネジ棒１８後端部１８ｃには、図６に示すように、ネジ山の高さを低くしたネジ部を設け、後端面より肉盗みの穴１８ｃ１を設けている。使用時の最終繰出限度において、ネジ棒後端部１８ｃのネジ山高さに低いところとネジ下の肉盗み部（穴１８ｃ１）が作用し内周方向に撓むことで容器を破壊することなく空回りし、使い終わりをユーザーに認識させることが可能となる。棒状部材１４が化粧料であってその使い終わりには、図９に示すように、保持部材１６が装填通路１０ａ先端の開口に臨むので、目視でき、使用終わりが目視でも確認できる。
【００４１】
（４）キャップ２２とシール嵌合する先軸１０の円筒部（気密部１０ｃ）直下の内部は均一な肉厚を内周に設けシール性の品質性能を安定的なものとしている。
【００４２】
（５）先軸１０の装填通路１０ａでは、口元より奥に行くに従い狭くなるように寸法を配設し、勾配角０．５度〜２．０度とする。
【００４３】
（６）勾配角０．５度〜２．０度の範囲の先軸１０断面形状は楕円とし、その楕円形状に合わせたシール部品であるピストンの保持部材１６が先軸楕円寸法よりやや大きい寸法値で設定され、軸線方向に摺動しかつ先軸１０内面と確実にシール嵌合されている。
【００４４】
（７）キャップ２２と先軸１０には互いのシール嵌合箇所（シール部２２ｂ、気密部１０ｃ）があり、先軸１０のシール部（気密部１０ｃ）は円筒形状であり、キャップ２２内面の全周の凸部（シール部２２ｂ）と適宜な締め代を持ってシール嵌合するようになっている。
【００４５】
以上説明したとおり、実施形態に係る回転繰出容器によれば、先軸１０、後軸１２、保持部材１６、棒状部材１４、ネジ棒１８等で少ない構成で回転繰出容器を構成できる。
また、後軸１２内部と螺合するネジ棒１８が備えられ、前記ネジ棒１８の先端部は棒状部材１４と略同形状に形成され、後端部側は非正円形状にネジ部１８ｂが形成されており、先軸１０内に保持部材１６まで材料を充填すれば棒状部材１４ができ、先軸１０に対して後軸１２を回転させることによりラチェット部２４が奏するクリック感を伴い、１クリックで０．０１〜０．２(好ましくは０．０５前後）ｍｍと微少長さで棒状部材１４を簡単な構造で繰り出すことができるという優れた効果を奏し得る。
【００４６】
本発明においては、前記実施形態に限定されず、本発明の範囲内において種々に変形実施できるラチェット部は回転方向を規制する以外に、逆回転を許容する構造とすることもできる。
【産業上の利用可能性】
【００４７】
本発明の回転繰出容器は、化粧品のアイブロウ、アイライナー、リップライナーなどの固形化粧料や色鉛筆、鉛筆などの筆記具或いは口角、唇などの保湿を目的とした医薬部外品など用途を選ばず対応可能なものであり、これらを収容し適宜使用可能な回転繰出容器として利用することができる。
【符号の説明】
【００４８】
１０  先軸
１０ａ  装填通路
１２  後軸
１４  棒状部材（芯）
１６  保持部材
１８  ネジ棒
２０  ネジ体
２４  ラチェット部
【図１】
0006600489.tif 000002
【図２】
0006600489.tif 000003
【図３】
0006600489.tif 000004
【図４】
0006600489.tif 000005
【図５】
0006600489.tif 000006
【図６】
0006600489.tif 000007
【図７】
0006600489.tif 000008
【図８】
0006600489.tif 000009
【図９】
0006600489.tif 000010